(57)【要約】【課題】中仕切りを容器内に収納する作業を容易に行うことができ、しかも複数個の物品を収納する場合でも各物品を安定した状態で収納することができるようにする。【解決手段】天板に、物品収納用の複数個の抜き孔２，３，４を設けるとともに、互いに隣接する抜き孔２，３；３，４間に形成される繋ぎ部２９，３０の中央部にその繋ぎ部２９，３０を横断する弱め線３１，３２を形成し、物品が各抜き孔２，３，４に挿入された際に弱め線３１，３２が切断されて抜き孔２，３，４の周辺部分が垂下片２７，２８，３３，３４として下方に垂れて物品を支持する。【選択図】図２
2010269837.tif 000002
【特許請求の範囲】
【請求項１】
天板と、該天板の四つの辺に折り曲げ線を介して連設される側板とを有し、容器内に装着して使用される容器用中仕切りにおいて、
前記天板に、物品収納用の複数個の抜き孔が設けられるとともに、互いに隣接する抜き孔間に形成される繋ぎ部の中央部にその繋ぎ部を横断する弱め線が形成され、物品が各抜き孔に挿入された際に前記弱め線が切断されて前記抜き孔の周辺部分が垂下片として下方に垂れて物品を支持するように構成されていることを特徴とする容器用中仕切り。
【請求項２】
天板と４つの側板とよりなり、下方が開放された容器用中仕切りであって、各側板が、天板側の辺に対して外周側の辺の長さが長い台形状に形成されるとともに、互いに対向する一対の側板の両端部に糊代片が設けられ、各糊代片が隣接する他の一対の側板の内面に接着されることにより、組立て時に下方に向かって末広がり状に形成されていることを特徴とする請求項１に記載の容器用中仕切り。
【請求項３】
天板と４つの側板と底板とよりなる箱型の容器用中仕切りであって、天板とその天板の長辺に連設される２つの側板と底板とが所要部を接着することにより一体に形成されるとともに、前記天板の短辺に連設される２つの側板が天板にのみ一体に形成され、底板に対して天板の長辺に連設される２つの側板と天板とがワンタッチで起立するように構成されていることを特徴とする請求項１に記載の容器用中仕切り。
【請求項４】
前記天板の表面を完全に覆うように布もしくは不織布よりなる被覆シートが貼付されることを特徴とする請求項１〜３のいずれかに記載の容器用中仕切り。
【発明の詳細な説明】
【技術分野】
【０００１】
本発明は、贈答用ハムなどの物品を収納する際に容器内に装着して使用する容器用中仕切りに関するものである。
【背景技術】
【０００２】
従来、贈答用商品を収納する贈答用箱としては、個包装された商品の保護および固定のために、箱本体（容器）内に中仕切りを装着してその中仕切り上に商品を載置するようにした二重底形式のものが多く用いられている。また、商品の装飾性を高めて高級感を醸し出すために、中仕切りの表面全体を布もしくは不織布等の被覆シートで覆う（「布下垂」と称する。）ことも行われている（特許文献１参照）。
【先行技術文献】
【特許文献】
【０００３】
【特許文献１】特開２０００−６２７６３号公報
【０００４】
次に、従来の中仕切り構造について、図６および図７を参照しつつ説明する。
【０００５】
図６は第１の従来例を示しており、（ａ）は中仕切りのブランクの展開図、（ｂ）は中仕切りの組立て状態での斜視図である。この第１の従来例において、中仕切り１００のブランク１００´は、中央部に物品収納用の矩形状の抜き孔１１０を有する矩形状の天板１０１と、この天板１０１の４つの辺に山折り線１０２，１０３，１０４，１０５を介してそれぞれ連設される側板１０６，１０７，１０８，１０９とにより構成されている。抜き孔１１０の４つのコーナ部から天板１０１の各コーナ部へ向けてはＴ字形の切り込み１１１がそれぞれ設けられ、これら切り込み１１１の先端部同士を結ぶように、前記山折り線１０２，１０３，１０４，１０５にそれぞれ平行な山折り線１１２，１１３，１１４，１１５が設けられている。こうして、中仕切り１００の組立て時に、山折り線１１２，１１３，１１４，１１５の内側部分を垂下片１１６，１１７，１１８，１１９として下方に折り曲げることで、これら垂下片１１６〜１１９によって抜き孔１１０内に収納される物品を支持するようになっている。なお、図には示されていないが、天板１０１の表面全体を覆うように、布もしくは不織布等の被覆シートが各側板１０６，１０７，１０８，１０９の表面に接着される。
【０００６】
また、図７は第２の従来例を示しており、（ａ）は中仕切りのブランクの展開図、（ｂ）は中仕切りの組立て状態での斜視図である。この第２の従来例において、中仕切り１２０ブランク１２０´は、矩形状の底板１２１と、この底板１２１の４つの辺に谷折り線１２２，１２３，１２４，１２５を介して連設される台形状の側板１２６，１２７，１２８，１２９とよりなり、各側板１２６，１２７，１２８，１２９の中央部にはＵ字状の切り込み１３０が設けられて、組立て時に底板１２１と一体の突出片１３１が形成されるようになっている。こうして、中仕切り１２０を組立てるとトレー状の容器となり、４つの突出部１３１が外方へ張り出して箱本体の内壁面に係合して支持されるとともに、傾斜姿勢に折り曲げられた各側板１２６，１２７，１２８，１２９が物品を支持する支持片として機能して物品が支持される。なお、図には示されていないが、底板１２１および側板１２６〜１２９の表面全体を覆うように、布もしくは不織布等の被覆シートが接着される。
【０００７】
しかしながら、上記従来の中仕切り構造ではいずれも、容器内で物品を支持するための垂下片１１６〜１１９または支持片１２６〜１２９を折り曲げる作業が必要であって、中仕切りの容器内へのセット作業が極めて煩雑で、手間のかかる作業になるという問題点がある。
【０００８】
また、従来構造では、１個の物品を収納することを前提にした構造であって、複数個の物品を同時に、かつ安定した状態で収納するという用途には適用できないという問題点がある。
【発明の概要】
【発明が解決しようとする課題】
【０００９】
本発明は、前述のような問題点を解消するためになされたもので、中仕切りを容器内に収納する作業を容易に行うことができ、しかも複数個の物品を収納する場合でも各物品を安定した状態で収納することのできる容器用中仕切りを提供することを目的とするものである。
【課題を解決するための手段】
【００１０】
前記目的を達成するために、本発明による容器用中仕切りは、
天板と、該天板の四つの辺に折り曲げ線を介して連設される側板とを有し、容器内に装着して使用される容器用中仕切りにおいて、
前記天板に、物品収納用の複数個の抜き孔が設けられるとともに、互いに隣接する抜き孔間に形成される繋ぎ部の中央部にその繋ぎ部を横断する弱め線が形成され、物品が各抜き孔に挿入された際に前記弱め線が切断されて前記抜き孔の周辺部分が垂下片として下方に垂れて物品を支持するように構成されている
ことを特徴とするものである。
【００１１】
本発明の一態様として、天板と４つの側板とよりなり、下方が開放された容器用中仕切りであって、各側板が、天板側の辺に対して外周側の辺の長さが長い台形状に形成されるとともに、互いに対向する一対の側板の両端部に糊代片が設けられ、各糊代片が隣接する他の一対の側板の内面に接着されることにより、組立て時に下方に向かって末広がり状に形成されている容器用中仕切りとすることができる。
【００１２】
また、本発明の他の態様として、天板と４つの側板と底板とよりなる箱型の容器用中仕切りであって、天板とその天板の長辺に連設される２つの側板と底板とが所要部を接着することにより一体に形成されるとともに、前記天板の短辺に連設される２つの側板が天板にのみ一体に形成され、底板に対して天板の長辺に連設される２つの側板と天板とがワンタッチで起立するように構成されている容器用中仕切りとすることができる。
【００１３】
前記各発明において、前記天板の表面を完全に覆うように布もしくは不織布よりなる被覆シートが貼付されるのが好ましい。
【発明の効果】
【００１４】
本発明によれば、複数個の物品を収納するための抜き孔が形成され、互いに隣接する抜き孔間に繋ぎ部が形成されていて、物品が各抜き孔に挿入された際に繋ぎ部に形成された弱め線が切断されて垂下片として機能し、各物品を安定した状態で保持することができる。また、物品を支持するための垂下片を折り曲げる作業が不要であり、中仕切りを容器内に収納する作業の簡素化を図ることができる。また、物品収納前には繋ぎ部が中仕切りの剛性を高めて保形部材として機能するので、これによっても中仕切りの収納作業が容易となる。
【図面の簡単な説明】
【００１５】
【図１】本発明の第１の実施形態に係る容器用中仕切りのブランクの展開図
【図２】第１の実施形態の容器用中仕切りの組立て状態での斜視図
【図３】第１の実施形態の容器用中仕切りの物品収納状態での斜視図
【図４】本発明の第２の実施形態に係る容器用中仕切りのブランクの展開図
【図５】第２の実施形態の容器用中仕切りの組立て状態での斜視図
【図６】第１の従来例を示し、中仕切りのブランクの展開図（ａ）および中仕切りの組立て状態での斜視図（ｂ）
【図７】第２の従来例を示し、中仕切りのブランクの展開図（ａ）および中仕切りの組立て状態での斜視図（ｂ）
【発明を実施するための形態】
【００１６】
次に、本発明による容器用中仕切りの具体的な実施の形態について、図面を参照しつつ説明する。
【００１７】
（第１の実施形態）
図１には、本発明の第１の実施形態に係る容器用中仕切りのブランクの展開図が示され、図２には、本実施形態の容器用中仕切りの組立て状態での斜視図が示されている。また、図３には、本実施形態の容器用中仕切りの物品収納状態での斜視図が示されている。
【００１８】
本実施形態の中仕切り１のブランク１´は、長方形の板紙により作製され、中央部に物品収納用の複数個（本実施形態では３個）の長円形もしくは長円の一部を切り欠いた形状の抜き孔２，３，４を有する矩形状の天板５と、この天板５の４つの辺に山折り線６，７，８，９を介してそれぞれ連設される側板１０，１１，１２，１３と、長辺側の側板１０，１２の両端部に山折り線１４，１５；１６，１７を介してそれぞれ連設される糊付片１８，１９；２０，２１とにより構成されている。
【００１９】
各側板１０〜１３はそれぞれ山折り線６〜９側が上底、外周辺側が下底となる台形状に形成され、これによって中仕切り１に組み立てられた時（図２参照）に下部側（開口部側）が外方へ向けて末広がり状の（テーパの付いた）形状となるようにされている。このようにすることで、複数の中仕切り１を輸送、保管する際に、上下の中仕切り１を相互に嵌め合わせた状態で積み重ねることができ、省スペース化を図ることができる。
【００２０】
天板５の外周部には、３個の抜き孔２，３，４を取り囲むように環状の山折り線２２が形成されている。また、この山折り線２２の４つのコーナ部から端部側の各抜き孔２，４に向けて傾斜状の切込み（もしくはミシン線）２３，２４；２５，２６がそれぞれ形成され、これによって山折り線２２の一部を折り線とする台形状の折込みフラップ２７，２８が設けられている。この折込みフラップ２７，２８は、抜き孔２，４内にハムなどの物品を収納した際に下方に折り込まれることにより収納物品の側部を支持する垂下片（端部側垂下片）として機能する（図３参照）。このため、端部側の抜き孔２，４は、長円形の抜き孔の一側部に台形の頂部が張り出した形状となっている。これに対して、中央部の抜き孔３は長円形状とされている。
【００２１】
また、互いに隣接する抜き孔２，３；３，４間には繋ぎ部２９，３０が設けられ、これら繋ぎ部２９，３０の中央部にはそれら繋ぎ部２９，３０を横断するミシン線（弱め線）３１，３２が設けられている。各抜き孔２，３，４に物品が収納されると、その収納物品に押されて繋ぎ部２９，３０がミシン線３１，３２の箇所で切断され、図３に示されているように、ミシン線３１，３２を境界線とする左側部分および右側部分が垂下片（側部側垂下片）３３，３４として下方に垂れて収納物品の端部および側部を支持する。
【００２２】
本実施形態の中仕切り１においては、布製生地もしくは不織布よりなる被覆シート（図示せず）が側板１０，１１，１２，１３に接着されることにより天板５の表面がその被覆シートで被覆される。
【００２３】
次に、上述のように構成されている中仕切り１を組立てて贈答箱本体内に挿入し、内容物を収納する手順について説明する。
【００２４】
まず、ブランク１´において、天板５の外周縁となる山折り線６，７，８，９を折り曲げるとともに、側板１０，１２の両端部の山折り線１４，１５；１６，１７を折り曲げ、糊付片１８，１９；２０，２１をそれぞれ対応する側板１３，１１の内面に接着することによって、図２に示される中仕切り１を作成する。こうして作成された中仕切り１は、前述のように下部側が外方へ向けて末広がり状に形成されているので、相互に嵌め合わせた状態で積み重ねることができる。
【００２５】
次に、図２に示されるように、組立てられた中仕切り１を、別途作成された箱本体（容器）３５内に嵌め込むことにより、この中仕切り１と箱本体３５の底板３５ａとの間に空間を有する二重底構造の容器を組立てる。この場合、中仕切り１は、既に糊貼りがなされて組立てられているので、従来のような側板の折り込み作業や、４つの側板を手で押さえながら箱本体３５内に収納するといった煩雑な作業が不要で、ワンタッチで箱本体３５内にセットすることができる。しかも、互いに隣接する側板１０〜１３同士が糊貼りされているので、側板の位置が不安定な従来例のものに比べて、中仕切りとしての剛性、強度を格段に向上させることができる。また、中仕切り１の組立て状態においては、天板５に３個の抜き孔２，３，４が形成されているが、隣接する抜き孔２，３；３，４間に形成された繋ぎ部２９，３０によって中仕切りの剛性が確保され、確実な保形がなされているので、箱本体３５内へのセット作業が容易に行える。
【００２６】
次いで、中仕切り１の抜き孔２，３，４にハム等の物品を収納すると、その収納時に繋ぎ部２９，３０がミシン線３１，３２の箇所で切断され、図３に示されているように、側部側垂下片３３，３４が下方に垂れ、かつ物品に押されて端部側垂下片（折込みフラップ）２７，２８が下方に垂れることにより収納物品の端部および側部が支持されて、複数個の物品を安定した状態で保持することができる。また、このように物品を支持するための垂下片３３，３４；２７，２８を折り曲げる必要がなく、作業の簡素化を図ることができる。
【００２７】
（第２の実施形態）
図４には、本発明の第２の実施形態に係る容器用中仕切りのブランクの展開図が示され、図５には、本実施形態の容器用中仕切りの組立て状態での斜視図が示されている。
【００２８】
本実施形態の中仕切り４０のブランク４０´は、長方形の板紙により作製され、中央部に物品収納用の複数個（本実施形態では３個）の矩形状の抜き孔４１，４２，４３を有する矩形状の天板４４と、この天板４４の４つの辺に山折り線４５，４６，４７，４８を介してそれぞれ連設される側板４９，５０，５１，５２と、長辺側の一方の側板５１に山折り線５３を介して連設される底板５４と、この底板５４に山折り線５５を介して連設される糊付片５６とにより構成されている。
【００２９】
一端側の抜き孔４１の端部側および両側部側には、天板４４の外周部に部分的に形成された直線状の山折り線５７，５８，５９を折り線とする略台形状の折込みフラップ６０，６１，６２がそれぞれ設けられている。同様に、他端側の抜き孔４３の端部側および両側部側にも、直線状の山折り線６３，６４，６５を折り線とする略台形状の折込みフラップ６６，６７，６８がそれぞれ設けられている。また、中央部の抜き孔４２の両側部側には、直線状の山折り線６９，７０を折り線とする略台形状の折込みフラップ７１，７２がそれぞれ設けられている。これら折込みフラップ６０，６１，６２，６６，６７，６８，７１，７２は、抜き孔４２，４３，４４内にハムなどの物品を収納した際に下方に折り込まれることにより収納物品の側部および端部を支持する垂下片として機能する。
【００３０】
また、互いに隣接する抜き孔４１，４２；４２，４３間には繋ぎ部７３，７４が設けられ、これら繋ぎ部７３，７４の中央部にはそれら繋ぎ部７３，７４を横断するミシン線（弱め線）７５，７６が設けられている。各抜き孔４１，４２，４３に物品が収納されると、その収納物品に押されて繋ぎ部７３，７４がミシン線７５，７６の箇所で切断され、下方に垂れて収納物品の側部を支持する。
【００３１】
本実施形態の中仕切り４０のブランク４０´においては、天板４４の外周縁となる山折り線４５，４６，４７，４８を折り曲げるとともに、底板５４の両側部の山折り線５３，５５を折り曲げ、糊付片５６を対応する側板４９の内面に接着することによって、図５に示される中仕切り４０を作成する。こうして作成された中仕切り４０は、側板５０，５２が糊付けされていないので、側板４９，５１を扁平に押し潰された形態（輸送・保管形態）からワンタッチで引き起こすことで、箱形状に成形することができる。
【００３２】
本実施形態の中仕切り４０においても、第１の実施形態の中仕切り１と同様、ワンタッチで中仕切り４０を組立てることができる上、この組立て状態においては、隣接する抜き孔４１，４２；４２，４３間に形成された繋ぎ部７３，７４によって中仕切りの剛性が確保されているので、箱本体内へのセット作業を容易に行うことができる。また、中仕切り４０の抜き孔４１，４２，４３にハム等の物品を収納すると、その収納時に繋ぎ部７３，７４がミシン線７５，７６の箇所で切断され、物品の外周部を取り囲むように設けられた各垂下片により収納物品の端部および側部が支持されて、複数個の物品を安定した状態で保持することができる。また、このような垂下片を折り曲げる作業も不要である。なお、本実施形態の中仕切り４０においても、天板４４の表面が被覆シートにより被覆される。
【００３３】
本実施形態の中仕切り４０によれば、天板４４と側板４９〜５２に加えて底板５４を有しているので、第１の実施形態のものに比べて更に強度の向上が図れるとともに、箱本体の底板上に別部材としての底パッドを挿入するのを省略することができるという利点もある。
【００３４】
前記各実施形態の中仕切り１，４０において、抜き孔の形状および垂下片の形状は上記実施形態のものに限定されず、いろいろな形状のものを採用することができる。また、抜き孔の個数は３個に限定されるものではない。
【００３５】
前記各実施形態の中仕切り１，４０に収納される物品はハムに限定されるものではなく、果物、ワイン、コップなどのガラス容器、陶器等、種々のものに適用することができる。
【産業上の利用可能性】
【００３６】
本発明の容器用中仕切りは、贈答用ハムなどの商品を複数個並べて収納するのに使用して好適であり、商品保護のための緩衝性および商品を引き立たせるための装飾性等を兼ね備えたものである。
【符号の説明】
【００３７】
１，４０                        中仕切り
２，３，４，４１，４２，４３    抜き孔
５，４４                        天板
１８，１９，２０，２１，５６    糊付片
２７，２８，６０，６１，６２，６６，６７，６８，７１，７２    折込みフラップ（垂下片）
２９，３０，７３，７４          繋ぎ部
３１，３２，７５，７６          ミシン線（弱め線）
３３，３４                      垂下片
３５                            箱本体
５４                            底板
【図１】
2010269837.tif 000003
【図２】
2010269837.tif 000004
【図３】
2010269837.tif 000005
【図４】
2010269837.tif 000006
【図５】
2010269837.tif 000007
【図６】
2010269837.tif 000008
【図７】
2010269837.tif 000009